(57)【要約】      （修正有）【課題】マルチメディアビデオ及びオーディオデータを送受信できる携帯電話用無線送受信装置を提供する。【解決手段】音信号用無線送受信装置１０は、デジタル信号を送受信するためのブルートゥーストランシーバ２０、ブルートゥーストランシーバ２０に電気的に接続されたブルートゥースベースバンド装置２６、ブルートゥースベースバンド装置２６に電気的に接続された処理装置３０及び処理装置３０に電気的に接続されたコーデック装置４０を備える。処理装置３０は携帯電話信号用の第１の処理モジュール３２及びステレオ信号用の第２の処理モジュール３４を有し、処理優先順位は第１の処理モジュール３２が第２の処理モジュール３４より高い。コーデック装置４０は音−電圧変換器の接続用入力ポート４２及び音出力デバイスの接続用出力ポート４４を有する。ブルートゥーストランシーバはブルートゥース送信装置を介して電気機器に接続できる。【選択図】図１
0003117272.tif 000002
【実用新案登録請求の範囲】
【請求項１】
オーディオ信号用無線送受信装置において、
デジタル信号を送信及び受信するためのブルートゥーストランシーバ、
前記ブルートゥーストランシーバに電気的に接続されたブルートゥースベースバンド装置、
前記ブルートゥースベースバンド装置に電気的に接続された、携帯電話信号用の第１の処理モジュール及びステレオ信号用の第２の処理モジュールを有する、処理装置、及び
前記処理装置に電気的に接続されたコーデック装置、
を備えることを特徴とするオーディオ信号用無線送受信装置。
【請求項２】
前記コーデック装置が音−電圧変換器を接続することができる入力ポートを有することを特徴とする請求項１に記載のオーディオ信号用無線送受信装置。
【請求項３】
前記音−電圧変換器がマイクロホンであることを特徴とする請求項２に記載のオーディオ信号用無線送受信装置。
【請求項４】
前記コーデック装置が音出力デバイスを接続することができる出力ポートを有することを特徴とする請求項１に記載のオーディオ信号用無線送受信装置。
【請求項５】
前記音出力デバイスがヘッドホンであることを特徴とする請求項４に記載のオーディオ信号用無線送受信装置。
【請求項６】
前記第１の処理モジュールの処理優先順位が前記第２の処理モジュールの処理優先順位より高いことを特徴とする請求項１に記載のオーディオ信号用無線送受信装置。
【請求項７】
前記ブルートゥーストランシーバがブルートゥースＲＦモジュール及びアンテナを有することを特徴とする請求項１に記載のオーディオ信号用無線送受信装置。
【請求項８】
前記ブルートゥーストランシーバがコンピュータに接続可能であることを特徴とする請求項１に記載のオーディオ信号用無線送受信装置。
【請求項９】
前記ブルートゥーストランシーバが携帯電話に接続可能であることを特徴とする請求項１に記載のオーディオ信号用無線送受信装置。
【請求項１０】
前記ブルートゥーストランシーバがブルートゥース送信装置を介して電気機器に接続可能であることを特徴とする請求項１に記載のオーディオ信号用無線送受信装置。
【請求項１１】
前記ブルートゥース送信装置が前記電気機器を接続することができる入力ポートを有するアナログ−デジタル変換器を備えることを特徴とする請求項１０に記載のオーディオ信号用無線送受信装置。
【請求項１２】
前記電気機器が、テレビジョン、ＭＰ３プレイヤーまたはＤＶＤプレイヤーであることを特徴とする請求項１０に記載のオーディオ信号用無線送受信装置。
【考案の詳細な説明】
【技術分野】
【０００１】
本考案はオーディオ信号用無線送受信装置に関し、さらに詳しくは、ステレオオーディオ信号及び携帯電話からの音信号を受信できるブルートゥース無線送受信装置に関する。
【背景技術】
【０００２】
従来のブルートゥースイヤホンの利用先は、ブルートゥースイヤホンを実装した携帯電話であり、これによってユーザは、携帯電話を耳にあてるのではなくブルートゥースイヤホンを介して電話呼出に答えることができる。詳しくは、ユーザは、携帯電話を身につけるのではなく、携帯電話をブルートゥースイヤホンの受信範囲内に置くことができるので、何ら制限なく動き回ることができ、携帯電話による放射線の危険も回避できる。
【０００３】
しかし、ブルートゥースイヤホンはあらかじめ定められた携帯電話にしか用いることができず、ユーザは携帯電話からの音信号を受け取る以外の何かをするためにブルートゥースイヤホンを用いることはできない。
【考案の開示】
【考案が解決しようとする課題】
【０００４】
日常生活においてマルチメディアビデオ及びオーディオデータが広く存在しているので、ユーザはマルチメディアビデオ及びオーディオデータを送受信するための無線送受信装置を必要としている。
【課題を解決するための手段】
【０００５】
オーディオ信号用無線送受信装置は、デジタル信号を送信及び受信するためのブルートゥーストランシーバ、ブルートゥーストランシーバに電気的に接続されたブルートゥースベースバンド装置、ブルートゥースベースバンド装置に電気的に接続された処理装置及び処理装置に電気的に接続されたコーデック装置を備える。処理装置は携帯電話信号用の第１の処理モジュール及びステレオ信号用の第２の処理モジュールを有し、第１の処理モジュールの処理優先順位は第２の処理モジュールの処理優先順位より高い。
【０００６】
コーデック装置は、マイクロホンなどの音−電圧変換器を接続できる入力ポート及びヘッドホンなどの音出力デバイスを接続できる出力ポートを有する。ブルートゥーストランシーバは、ブルートゥーストランシーバに接続することができるブルートゥース送信装置、ブルートゥース送信装置に電気的に接続されたブルートゥースベースバンド装置、ブルートゥースベースバンド装置に電気的に接続された処理装置及び処理装置に電気的に接続されたアナログ−デジタル変換器を有する、ブルートゥース送信装置を介して電気機器に接続することができる。
【０００７】
あらかじめ定められたブルートゥース携帯電話と組み合わせてしか使えない従来のブルートゥースイヤホンと比較して、本発明の無線送受信装置はブルートゥース送信装置にも、ブルートゥース送信装置を備える携帯電話にも接続することができ、よって、本無線送受信装置は様々な電気機器に用いることができる。テレビジョン、ＭＰ３プレイヤーまたはＤＶＤプレイヤーなどの電気機器を、ブルートゥース送信装置を介して本無線送受信装置に接続することができる。
【０００８】
本考案の根本的な目的及び利点は、以下の説明を読み、添付図面を参照すれば、明らかになるであろう。
【考案を実施するための最良の形態】
【０００９】
図１は、本考案の一実施形態にしたがう無線送受信装置１０を示す。この無線送受信装置１０は、デジタル信号を送信及び受信するためのブルートゥーストランシーバ２０，ブルートゥーストランシーバ２０に電気的に接続されたブルートゥースベースバンド装置２６，ブルートゥースベースバンド装置２６に電気的に接続された処理装置３０及び処理装置３０に電気的に接続されたコーデック装置４０を備える。処理装置３０は携帯電話信号用の第１の処理モジュール３２及びステレオ信号用の第２の処理モジュール３４を有し、第１の処理モジュール３２の処理優先順位は第２の処理モジュール３４の処理優先順位より高い。
【００１０】
コーデック装置４０はマイクロホンなどの音−電圧変換器４６を接続することができる入力ポート４２及びヘッドホンなどの音出力デバイス４８を接続できる出力ポート４４を有する。ブルートゥーストランシーバ２０はブルートゥースＲＦモジュール２２及びアンテナ２４を有する。無線送受信装置１０が携帯電話２８に接続されると、処理装置３０の第１の処理モジュール３２が起動されて、携帯電話２８からヘッドホン４８に音信号を送信し、マイクロホン４６から携帯電話２８に音信号を送信する。
【００１１】
図２及び３は本考案の一実施形態にしたがう無線送受信装置１０の応用例を示す。無線送受信装置１０のブルートゥーストランシーバ２０は、ブルートゥーストランシーバ２０に接続することができるブルートゥース送信装置６０，ブルートゥース送信装置６０に電気的に接続されたブルートゥースベースバンド装置５２，ブルートゥースベースバンド装置５２に電気的に接続された処理装置５４，及び処理装置５４に電気的に接続されたアナログ−デジタル変換器５６を備える、ブルートゥース送信装置５０を介して、電気機器７０に接続することができる。アナログ−デジタル変換器５６は入力ポート５８を有し、電気機器７０は入力ポート５８及びアナログ−デジタル変換器５６を介して処理装置５４に電気的に接続することができる。電気機器７０は、テレビジョン、ＭＰ３プレイヤーまたはＤＶＤプレイヤーとすることができる。さらに、無線送受信装置１０はブルートゥーストランシーバを備えるコンピュータ８０と接続できる。
【００１２】
アナログ−デジタル変換器５６は電気機器からの音信号をデジタル信号に変換し、デジタル信号は次いで処理装置５４及びブルートゥースベースバンド装置５２によって処理され、処理されたデジタル音信号はブルートゥース送信装置６０によってを無線送受信装置１０に送信される。無線送受信装置１０はブルートゥース無線トランシーバ２０を用いてブルートゥース送信装置５０からのデジタル音信号を受信し、デジタル音信号はブルートゥースベースバンド装置２６に送られる。処理装置３０の第２の処理モジュールが起動されて、コード化処理またはヘッドホン４８への送信の前のデコード処理を実施するために、デジタル音信号をコーデック装置４０に送る。
【００１３】
第１の処理モジュール３２は第２の処理モジュール３４より高い処理優先順位をもつから、無線送受信装置１０がブルートゥース送信装置５０及び携帯電話２８の双方から同時にデジタル音信号を受信したときには、処理装置３０の第１の処理モジュール３２が先に起動されて、携帯電話２８からのデジタル音信号を処理するであろう。
【００１４】
あらかじめ定められたブルートゥース携帯電話と組み合わせてしか使えない従来のブルートゥースイヤホンと比較して、本無線送受信装置はブルートゥース送信装置にも、ブルートゥース送信装置を備える携帯電話にも接続することができ、よって、本無線送受信装置は様々な電気機器に用いることができる。テレビジョン、ＭＰ３プレイヤーまたはＤＶＤプレイヤーのような電気機器を、ブルートゥース送信装置を介して本無線送受信装置に接続することができる。
【００１５】
本考案の上記実施形態は、説明用に記載したものに過ぎない。当業者であれば、添付される実用新案請求の範囲を逸脱することなく数多くの別の実施形態が案出できるであろう。
【図面の簡単な説明】
【００１６】
【図１】本考案の一実施形態にしたがう無線送受信装置を示す
【図２】本考案の一実施形態にしたがう無線送受信装置の応用例を示す
【図３】本考案の一実施形態にしたがう無線送受信装置の応用例を示す
【符号の説明】
【００１７】
１０    無線送受信装置
２０    ブルートゥーストランシーバ
２２    ブルートゥースＲＦモジュール
２４    アンテナ
２６，５２    ブルートゥースベースバンド装置
２８    携帯電話
３０，５４    処理装置
３２，３４    処理モジュール
４０    コーデック装置
４２，５８    入力ポート
４４    出力ポート
４６    音−電圧変換器
４８    音出力デバイス
５０    ブルートゥース送信装置
５６    アナログ−デジタル変換器
６０    ブルートゥース送信装置
７０    電気機器
８０    コンピュータ
【図１】
0003117272.tif 000003
【図２】
0003117272.tif 000004
【図３】
0003117272.tif 000005